(57)【要約】【課題】浄化空気に混合するマイナスイオンの量をプラスイオンよりも多くなるようにイオン量を調整して人間に好適な環境を提供する。また、小型で設置上、使用上に優れているマイナスイオン含有空気供給システムを提供する。【解決手段】温調機から空気を病室等の浄化室１に供給する流路３に、噴射ノズル１３に高圧空気を供給して水を微細粒子状に破砕してマイナスイオンを発生させるイオン発生装置１１が配設してある。イオン発生装置１１の下流側にマイナスイオンの量をプラスイオンの量より多くなるように調整するためのイオン調整装置２１が配設してある。イオン量調整装置２１は導電性材料からなり、直流電源からマイナスに印加されるハニカム電極２４と、プラスに印加されるアース電極とから構成してある。【選択図】　図１
2004053042.tif 000002
【特許請求の範囲】
【請求項１】
空調機から空気を浄化室に循環供給する流路に、該空調機から供給される温調空気にイオンを混合してイオン含有空気に生成するイオン発生装置と、該イオン発生装置により生成したイオン含有空気中のマイナスイオン量がプラスイオン量より大となるように調整して前記浄化室に供給するイオン量調整装置を配設したことを特徴とするマイナスイオン含有空気供給システム。
【請求項２】
前記イオン量調整装置は、ケーシング内に導電性材料によりハニカム構造に構成してなるハニカム電極と、該ハニカム電極に近接して空気流の上流側に配設した格子状又は網状の多孔電極を格納し、直流電源により前記ハニカム電極にマイナスの電圧を印加し、多孔電極にプラスの電圧を印加するように構成してあることを特徴とする請求項１記載のマイナスイオン含有空気供給システム。
【請求項３】
前記イオン発生装置は、前記空調機から供給される温調空気中に配置される噴射ノズルと、該噴射ノズルに高圧空気を供給する高圧空気源と、前記噴射ノズル内に負圧により吸引する水を供給する水供給源とから構成し、該イオン発生装置は前記イオン量調整装置を構成するケーシング内に配置したことを特徴とする請求項１記載のマイナスイオン含有空気供給システム。
【発明の詳細な説明】
【０００１】
【発明の属する技術分野】
本発明は、例えば養護施設や病院等のように施設利用者にとって快適な環境形成が特に重要とされる施設に設置して好適なマイナスイオン含有空気供給システムに関する。
【０００２】
【従来の技術】
近年、マイナスイオンが人間の健康を保持し、また増進するのに有効であることが注目されており、マイナスイオンの発生機能を持たせた空気清浄機や冷暖房機が提供されている。このマイナスイオン発生方法としては、水を破砕してレナード効果によりマイナスイオンを発生する水破砕式、電極間に高電圧を印加して発生させるコロナ放電式、電子放射式等が知られているが、水破砕式が自然に近い形でマイナスイオンを発生するとされており、例えば特開平５−２８３１４４号公報には、圧縮空気と水とが供給されることで水を霧状にして噴出する霧噴出用ノズルと、前記霧噴出用ノズルに圧縮空気を供給する空気供給源と、前記霧噴出用ノズルに水を供給する水供給源とを備えることを特徴とする空気イオン発生装置が開示されている。
【０００３】
【発明が解決しようとする課題】
ところで、人間に有益なのはマイナスイオンであることは知られているが、上述したいずれのマイナスイオン発生方法においてもプラスイオンも発生するし大気中に存在していることから、マイナスイオンの量をプラスイオンの量より多くするための調整が必要である。しかし、従来技術はこの点について配慮していないという欠点がある。また、従来技術には、マイナスイオン発生装置とイオン量調整装置を一体化して設置の利便性を考慮したマイナスイオン含有空気供給システムは提案されていない。
【０００４】
本発明は、上述した従来技術の諸欠点に鑑みなされたもので、浄化空気に混合するマイナスイオンの量をプラスイオンの量より多くなるようにイオン量を調整することにより人間にとってより好適な環境を提供することができるし、イオン発生装置とイオン量調整装置を一体化して小型化することにより設置上の利便性を図ることができるマイナスイオン含有空気供給システムを提供することを目的とする。
【０００５】
【課題を解決するための手段】
上述した課題を解決するために構成された本発明の手段は、空調機から空気を浄化室に循環供給する流路に、該空調機から供給される温調空気にイオンを混合してイオン含有空気に生成するイオン発生装置と、該イオン発生装置により生成したイオン含有空気中のマイナスイオン量がプラスイオン量より大となるように調整して前記浄化室に供給するイオン量調整装置を配設したことにある。
【０００６】
そして、前記イオン量調整装置は、ケーシング内に導電性材料によりハニカム構造に構成してなるハニカム電極と、該ハニカム電極に近接して空気流の上流側に配設した格子状又は網状のアース電極とを格納し、直流電源により前記ハニカム電極にマイナスの電圧を印加し、アース電極にプラスの電圧を印加するように構成したものにするとよい。
【０００７】
また、前記イオン発生装置は、前記空調機から供給される温調空気中に配置される噴射ノズルと、該噴射ノズルに高圧空気を供給する高圧空気源と、前記噴射ノズル内に負圧により吸引する水を供給する水供給源とから構成し、該イオン発生装置は前記イオン量調整装置を構成するケーシング内に配置する構成にするとよい。
【０００８】
【発明の実施の形態】
以下、本発明の実施の形態を図面に基づき詳述する。図１乃至図４は第１の実施の形態を示す。図において、１、１は例えば病室等の浄化室、２は該各浄化室１に塵埃等を除去して浄化し、適切な温度に調節した空気を循環供給するための空調機を示し、該空調機２は空気浄化用フィルタ２Ａ、加熱コイル２Ｂ、送風機２Ｃから構成してあり、空気供給管３を介して各浄化室１に温調空気を供給するようになっている。また、各浄化室１に設けた排気ダクト４と空調機２との間には空気戻り管５が接続してあり、空気供給管３及び空気戻り管５により形成する流路によって浄化空気は各浄化室１と空調機２との間を循環供給されるようになっている。
【０００９】
１１は前記空気供給管３に接続されたイオン発生装置を示す。該イオン発生装置１１は空気供給管３が接続され、温調空気が供給されるケーシング１２と、該ケーシング１２内に配置された噴射ノズル１３と、該噴射ノズル１３に加圧空気を供給するエアコンプレッサー１４と、フロート弁を備えた貯水タンク１５Ａから常時一定水量を噴射ノズル１３に供給するようにした給水栓１５とから構成してある。そして、噴射ノズル１３はエアコンプレッサー１４から供給されてノズル孔から噴出される加圧空気によるノズル内の負圧により水を微細粒子状に破砕させてレナード効果によりマイナスイオンを生成し、浄化空気に混合するものである。
【００１０】
２１は前記イオン発生装置１１から空気供給管３を介して浄化室１に供給されるイオン含有空気中のマイナスイオン量を調整するためのイオン量調整装置を示す。２２は該イオン量調整装置２１を構成する角筒カバーで、該角筒カバー２２は截頭角錐状の一側カバー部２２Ａ及び他側カバー部２２Ｂと、該一側及び他側カバー部２２Ａ、２２Ｂが両端に連結されたカバー本体２２Ｃとから構成してあり、一側カバー部２２Ａは空気供給管３に接続し、他側カバー部２２Ｂは浄化室１に開口している。なお、一側カバー部２２Ａを空気の下流方向が開拡した截頭角錐状に形成してあるのは、浄化空気の流速を抑えて後述するハニカム電極２４との接触時間を確保するためである。
【００１１】
２３、２３、・・は前記カバー本体２２Ｃの内面に設けた絶縁材、２４は該絶縁材２３を介してカバー本体２２Ａに収容したハニカム電極で、該ハニカム電極２４は浄化空気が一側から他側に流通する多数の銅管２４Ａ、２４Ａ、・・・を一体化したハニカム構造体からなり、後述するようにマイナスに印加されるものである。２５は銅線を格子状に組成して多孔電極としたアース電極を示し、該アース電極２５はハニカム電極２４の手前側、即ち浄化空気の流動方向上流側に間隔Ｓを隔てて配設してあり、プラスに印加されるものである。
【００１２】
２６は前記ハニカム電極２４とアース電極２５に電圧を印加する１００〜１５０Ｖの直流電源で、該直流電源２６は配線２７、２８を介して各電極２４、２５に夫々接続している。
【００１３】
イオン量調整装置２１は上述の構成からなり、イオン発生装置１１から供給されたイオン含有空気中のイオンは、ハニカム電極２４のマイナスの電位を持った各銅管２４Ａ内を流動する間にプラスイオンは吸着されることにより、イオン量調整装置２１から浄化室１にはプラスイオンの量よりマイナスイオンの量が多い状態になった浄化空気を供給する。なお、マイナスイオンに対してプラスイオンの比率を下げるイオン量の調整は、ハニカム電極２４とアース電極の間隔Ｓを小さくし、また電圧を高くすることにより行うことができる。
【００１４】
本実施の形態に係るイオン発生装置１１及びイオン量調整装置２１によれば、運転前と運転後ではマイナスイオン濃度は約２４，５倍、プラスイオン濃度は約１３，３倍になり、マイナスイオンの含有率を高くした浄化空気にすることができた。
【００１５】
次に、図５及び図６は第２の実施の形態を示す。なお、本実施の形態において第１の実施の形態の構成要素と同一の構成要素には同一の符号を付して援用し、その説明を省略する。図において、３１はイオン発生装置を示す。３２は該イオン発生装置３１を構成する筒体で、該筒体３２は金属板からなる外筒３２Ａと、パンチングメタルからなる内筒３２Ｂと、外筒３２Ａ及び内筒３２Ｂの間に充填したグラスウール等の吸音材３２Ｃとから構成してあり、筒体３２の外周に巻装した吊りバンド３３を介して後述するケーシング４２内に吊下してある。
【００１６】
３４は前記筒体３２内に向けてイオン発生空気を噴出する噴射ノズルを示す。該噴射ノズル３４は筒体３２の軸方向後側に位置してケーシング４２内に横架したＬ型材の支持バー３５により支持してあり、配管３６、３７を介してエアコンプレッサー１４、給水栓１５と夫々接続されている。
【００１７】
次に、４１は前記イオン発生装置３１を囲繞した構成のイオン量調整装置を示す。図において、４２は該イオン量調整装置４１を構成する角筒状のケーシングを示し、該ケーシング４２は、上下、左右の側面を囲繞する４枚の金属製外側板４３Ａ、４３Ｂ、４３Ｃ、４３Ｄからなる外枠体４３と、パンチングメタル製の４枚の内側板４４Ａ、４４Ｂ、４４Ｃ、４４Ｄ及び後側板４４Ｅとから前方が開口した形状の内枠体４４と、該内枠体４４と外枠体４３との間に充填したグラスウール等の吸音材４５とから構成してある。そして、ケーシング４２内には浄化室１の空気である外気を導入するための一対の吸引ファン４６、４６が後側板４４Ｅに取着してある。
【００１８】
更に、４７は前記ケーシング４２の先端開口側に内設したハニカム電極、４８は該ハニカム電極４７に近接して空気流の上流側に配置したアース電極で、これら電極４７、４８の基本的構成及び作用は第１の実施の形態のハニカム電極２４、アース電極２５と同じである。
【００１９】
本実施の形態は上述の構成からなり、イオン量調整装置４１を構成するケーシング４２内にイオン発生装置３１を格納して一体化した構成にしたから、装置全体を小型化することができる。従って、例えば浄化室１内の天井から吊下して設置することができるので、空気噴出用及び排出用ダクトを備えていない浄化室にも簡単に設置して使用することができる。
【００２０】
また、イオン発生装置３１の筒体３２内及びイオン量調整装置４１のケーシング４２内には吸音材３２Ｃ、４５を充填してあるから、浄化室１に設置しても静粛性に優れた装置として使用できる。
【００２１】
そして、本実施の形態に係るイオン発生装置３１及びイオン量調整装置４１によれば、運転前と運転後ではマイナスイオン濃度は約１０４，０倍、プラスイオン濃度は約５１，８倍になり、マイナスイオンの含有率を高くした浄化空気に生成することができた。
【００２２】
【発明の効果】
本発明は以上詳述した如く構成したから、下記の諸効果を奏する。
（１）浄化室に供給する浄化空気に混合するマイナスイオンの量をプラスイオンの量より大となるようにイオン量を調整するようにしたから、人間により好適な環境を提供することができる。
（２）イオン量調整装置は、ケーシング内にマイナスの電圧を印加するハニカム電極と、プラスの電圧を印加するアース電極とを格納し、浄化空気中のプラスイオンをハニカム電極に吸着させるようにしたから、マイナスイオンの含有率の高い人間に好適な浄化空気を供給することができる。
（３）イオン発生装置はイオン量調整装置のケーシング内に格納して両装置全体を一体化することにより小型化したから、設置上及び使用上の利便性を図ることができる。
【図面の簡単な説明】
【図１】図１乃至図４は本発明の第１の実施の形態に係り、図１はマイナスイオン含有空気供給システムの構成図である。
【図２】イオン量調整装置の縦断面図である。
【図３】図２中のＩＩＩ−ＩＩＩ矢示方向断面図である。
【図４】ハニカム電極とアース電極の構成図である。
【図５】図５及び図６は第２の実施の形態を示し、図５はイオン混合装置とイオン量調整装置を一体化した構成を示す断面図である。
【図６】図５中のＶＩ−ＶＩ矢示方向断面図である。
【符号の説明】
１　　　　　　浄化室
２　　　　　　空調機
１１、３１　　イオン発生装置
１３、３４　　噴射ノズル
１４　　　　　エアコンプレッサ
１５　　　　　給水栓
２１、４１　　イオン量調整装置
２４、４７　　ハニカム電極
２５、４８　　アース電極
２６　　　　　直流電源
【図１】
2004053042.tif 000003
【図２】
2004053042.tif 000004
【図３】
2004053042.tif 000005
【図４】
2004053042.tif 000006
【図５】
2004053042.tif 000007
【図６】
2004053042.tif 000008